(57)【要約】      （修正有）【課題】マスク型シールドの使用者の口及び外鼻孔を被覆できるとともに、取外さずに飲食することができるマスク型シールドを提供する。【解決手段】マスク型シールド１０は、使用者の口と外鼻孔を覆うシールド本体１２をフレーム１３に取付け、フレームの両端に接続された一対の線状体１４を使用者の耳に掛ける。フレームは、使用者の鼻背に係止して左右に延びる鼻背係止部１３ａと、鼻背係止部の左右の端部に接続された一対の脚部１３ｂと、前縁下部から側縁下部にかけて形成された鍔部１３ｄと、上部両側縁に突設された一対のフック１６とを有する。シールド本体は、前縁上部から側縁上部にかけて形成された庇部１２ｅと、一対のフックに係止する一対の通孔とを有する。シールド本体を一対のフックを中心に回動させて、シールド本体が使用者の口と外鼻孔を覆う被覆位置と、使用者の口と外鼻孔を開放する開放位置とに切換え可能に構成される。【選択図】図１
0003228348.tif 000002
【実用新案登録請求の範囲】
【請求項１】
使用者の口と外鼻孔を覆うシールド本体と、
前記シールド本体を取付けるフレームと、
前記フレームの両端に接続され前記使用者の耳又は頭に掛けられる一対の線状体と
を備えたマスク型シールドであって、
前記フレームは、前記使用者の鼻背に係止して左右に延びる鼻背係止部と、前記鼻背係止部の左右の端部に接続され前記使用者の左右の頬に沿って下方に延びる一対の脚部と、前縁下部から側縁下部にかけて前方及び前側方に突出して形成された鍔部と、上部両側縁にそれぞれ突設された一対のフックとを有し、
前記シールド本体は、前縁上部から側縁上部にかけて後方及び後側方に突出して形成された庇部と、上部両側縁にそれぞれ形成され前記一対のフックに回動可能に係止する一対の通孔とを有し、
前記シールド本体を前記一対のフックを中心に下方に回転させたとき、前記庇部が前記鍔部に載って、前記シールド本体により前記使用者の口と外鼻孔が覆われる被覆位置と、前記シールド本体を前記一対のフックを中心に上方に回転させたとき、前記使用者の口と外鼻孔が開放される開放位置とに切換え可能に構成された
ことを特徴とするマスク型シールド。
【請求項２】
前記シールド本体が透明なプラスチックフィルムにより形成された請求項１記載のマスク型シールド。
【請求項３】
前記シールド本体に、画像又はイラストが印刷されたシートを挿入可能なポケットが設けられた請求項１又は２記載書マスク型シールド。
【考案の詳細な説明】
【技術分野】
【０００１】
本考案は、使用者の口及び外鼻孔を被覆できるとともに、取外さずに飲食できるマスク型シールドに関するものである。
【背景技術】
【０００２】
従来、作業用ヘルメットに予め、布製の現場作業用フェイスガードを装着しておき、ヘルメットをかぶった後に現場作業用フェイスガードの左右を、顔の前面部でとめることで、目から下の顔を覆うことができる現場作業用フェイスガードが開示されている（例えば、特許文献１（段落［０００４］、段落［０００６］、図１〜図３）参照。）。このフェイスガードでは、作業用ヘルメットの後頭部バンドを、縦方向に間隔をあけかつ横方向に延びる２本の横長マジックテープ（登録商標）で包むようにフェイスガードを装着し、フェイスガードの長手方向の両端にそれぞれ設けられた縦方向に延びる２本の縦長マジックテープ（登録商標）の着脱により、顔の前面部で開閉可能に構成される。
【０００３】
このように構成された現場作業用フェイスガードでは、作業用ヘルメットの後頭部バンドにフェイスガードを、２本の横長マジックテープ（登録商標）で簡単に装着できる。また、フェイスガード両端の２本の縦長マジックテープ（登録商標）の着脱により、顔の前面部で開閉を可能にし、食事や喫煙が手軽にできるようになっている。
【先行技術文献】
【特許文献】
【０００４】
【特許文献１】特開２００７−１３１９９７号公報
【考案の概要】
【考案が解決しようとする課題】
【０００５】
しかし、上記特許文献１に示された現場作業用フェイスガードでは、後頭部バンドを有する作業用ヘルメットを着用していないと、フェイスガードを使用できない不具合があった。特に、近年、感染症（例えば、新型コロナウィルス肺炎のCOVID-19）が大流行しており、フェイスガードを取外さずに食事等をすることができる上記特許文献１に示された現場作業用フェイスガードの使用を医療従事者が欲しても、作業用ヘルメットの着用を必須とするため、使用することが難しい問題点があった。また、上記特許文献１に示された現場作業用フェイスガードでは、食事等をするためにフェイスガード両端の２本の縦長マジックテープ（登録商標）を互いに離脱させると、フェイスガードが使用者の背中に垂れ下がった状態になるので、フェイスガード両端の２本の縦長マジックテープ（登録商標）を互いに着けるのに手間が掛かる問題点もあった。
【０００６】
本考案の第１の目的は、使用者の口及び外鼻孔を被覆できるとともに、取外さずに飲食できる、マスク型シールドを提供することにある。本考案の第２の目的は、シールド本体を、使用者の口及び外鼻孔を被覆する被覆位置と、使用者の口及び外鼻孔を開放する開放位置とに速やかに切換えることができる、マスク型シールドを提供することにある。本考案の第３の目的は、シールド本体を透明なプラスチックフィルムにより形成することにより、使用者の表情を相手に見せることができる、マスク型シールドを提供することにある。本考案の第４の目的は、シールド本体のポケットに、イラストや画像を印刷したシートを挿入することにより、見栄えを向上できる、マスク型シールドを提供することにある。
【課題を解決するための手段】
【０００７】
本考案の第１の観点は、図１〜図４及び図１０に示すように、使用者１１の口１１ａと外鼻孔を覆うシールド本体１２と、このシールド本体１２を取付けるフレーム１３と、フレーム１３の両端に接続され使用者１１の耳１１ｂ又は頭に掛けられる一対の線状体１４，１５とを備えたマスク型シールド１０であって、フレーム１３は、使用者１１の鼻背１１ｃに係止して左右に延びる鼻背係止部１３ａと、鼻背係止部１３ａの左右の端部に接続され使用者の左右の頬１１ｄに沿って下方に延びる一対の脚部１３ｂ，１３ｃと、前縁下部から側縁下部にかけて前方及び前側方に突出して形成された鍔部１３ｄと、上部両側縁にそれぞれ突設された一対のフック１６，１７とを有し、シールド本体１２は、前縁上部から側縁上部にかけて後方及び後側方に突出して形成された庇部１２ｅと、上部両側縁にそれぞれ形成され一対のフック１６，１７に回動可能に係止する一対の通孔１２ｃ，１２ｄとを有し、シールド本体１２を一対のフック１６，１７を中心に下方に回転させたとき、庇部１２ｅが鍔部１３ｄに載って、シールド本体１２により使用者１１の口１１ａと外鼻孔が覆われる被覆位置と、シールド本体１２を一対のフック１６，１７を中心に上方に回転させたとき、使用者１１の口１１ａと外鼻孔が開放される開放位置とに切換え可能に構成されたことを特徴とする。
【０００８】
本考案の第２の観点は、第１の観点に基づく考案であって、更に図３、図６及び図９に示すように、シールド本体１２が透明なプラスチックフィルムにより形成されたことを特徴とする。
【０００９】
本考案の第３の観点は、第１又は第２の観点に基づく考案であって、更に図１１に示すように、シールド本体４２に、画像又はイラスト４３ａが印刷されたシート４３を挿入可能なポケット４２ａが設けられたことを特徴とする。
【考案の効果】
【００１０】
本考案の第１の観点のマスク型シールドでは、フレームの一対のフックにシールド本体の一対の通孔をそれぞれ形成した状態で、一対の線状体を耳又は頭部に掛けるだけでマスク型シールドを使用できる。そして、シールド本体を一対のフックを中心に下方に回転させたとき、シールド本体の庇部がフレームの鍔部に載って、シールド本体が使用者の口と外鼻孔を覆う被覆位置に位置するので、シールド本体で使用者の口及び外鼻孔を被覆できる。また、シールド本体を一対のフックを中心に上方に回転させたとき、シールド本体が使用者の口と外鼻孔を開放する開放位置に位置するので、使用者はマスク型シールドを取外さずに飲食することができる。更に、飲食が終了したときに、シールド本体を一対のフックを中心に下方に回転させることにより、シールド本体を上記被覆位置に切換えることができる。このように、シールド本体を被覆位置と開放位置とに速やかに切替えることができる。
【００１１】
本考案の第２の観点のマスク型シールドでは、シールド本体を透明なプラスチックフィルムにより形成したので、マスク型シールドの使用者の表情を相手に見せることができる。
【００１２】
本考案の第３の観点のマスク型シールドでは、シールド本体に、画像又はイラストが印刷されたシートを挿入可能なポケットを設けたので、シールド本体のポケットにイラストや画像を印刷したシートを挿入することにより、マスク型シールドの見栄えを向上できる。
【図面の簡単な説明】
【００１３】
【図１】（ａ）は本考案第１実施形態のマスク型シールドのシールド本体を開放位置に回転させた状態を示す図３のＡ−Ａ線断面図であり、（ｂ）はそのシールド本体を被覆位置に回転させた状態を示す図３のＡ−Ａ線断面図である。
【図２】そのシールド本体が被覆位置に位置している状態のマスク型シールドの平面図である。
【図３】そのシールド本体が被覆位置に位置している状態のマスク型シールドの正面図である。
【図４】（ａ）はシールド本体の通孔をフレームのフックに係止している途中の状態を示す図５のＢ−Ｂ線断面図であり、（ｂ）はシールド本体の通孔をフレームのフックに完全に係止した状態を示す図５のＢ−Ｂ線断面図である。
【図５】図２のＣ矢視拡大図である。
【図６】（ａ）はシールド本体の展開図であり、（ｂ）は所定の形状に折曲げたシールド本体の正面図である。
【図７】所定の形状に折曲げたシールド本体の平面図である。
【図８】フレームの平面図である。
【図９】フレームの正面図である。
【図１０】（ａ）使用者がマスク型シールドを着用してシールド本体を被覆位置に位置させた状態を示す側面図であり、（ｂ）使用者がマスク型シールドを着用しシールド本体を開放位置に位置させて飲み物を飲んでいる状態を示す側面図である。
【図１１】本考案第２実施形態のマスク型シールドのシールド本体のポケットにイラスト付きのシートを挿入する直前の状態を示す正面図である。
【考案を実施するための形態】
【００１４】
次に本考案を実施するための形態を図面に基づいて説明する。
【００１５】
＜第１の実施の形態＞
図１、図３及び図１０に示すように、マスク型シールド１０は、使用者１１の口１１ａと外鼻孔を覆うシールド本体１２と、このシールド本体１２を取付けるフレーム１３と、フレーム１３の両端に接続され使用者１１の耳１１ｂに掛けられる一対の線状体１４，１５とを備える。シールド本体１２は、この実施の形態では、透明なプラスチックフィルムにより形成されることが好ましい。具体的には、シールド本体１２は、厚さ０．１ｍｍ〜０．３ｍｍ程度の可撓性を有するポリプロピレンやポリエチレンテレフタレート等の透明なプラスチックフィルムにより形成されることが好ましい。ここで、シールド本体１２を透明なプラスチックフィルムにより形成することにより、マスク型シールド１０の使用者１１の表情を相手に見せることができる。また、シールド本体１２は、正面視で上辺が下辺より長い略台形状に形成され、その上縁両端には斜め上方にかつ互いに離れる方向に延びる一対の突片１２ａ，１２ｂが突設される。これらの突片１２ａ，１２ｂには円形の一対の通孔１２ｃ，１２ｄがそれぞれ形成される。更に、シールド本体１２の上縁には、その前縁上部から側縁上部にかけて後方及び後側方に突出する庇部１２ｅが形成される。
【００１６】
上記シールド本体１２を作製するには、先ず、透明なプラスチックフィルムから、シールド本体１２を展開した形状に打ち抜いた後（図６（ａ））、この展開状態のシールド本体１２の中央に縦方向に延びる第１折り目１２ｆを形成するとともに、庇部１２ｅとなる部分を形成するために横方向に延びる第２折り目１２ｇを形成する。なお、図６（ａ）中の符号１２ｈは、庇部１２ｅとなる部分の中央に縦方向に延びて形成された切込みである。次に、上記展開状態のシールド本体１２の第２折り目１２ｇで庇部１２ｅとなる部分を略直角に折曲げて庇部１２ｅを形成するとともに、第１折り目１２ｆで略直角に折曲げる（図６（ｂ）及び図７）。これによりシールド本体１２が完成する。
【００１７】
一方、フレーム１３は、使用者１１の鼻背１１ｃに係止して左右に延びる鼻背係止部１３ａと、鼻背係止部１３ａの左右の端部に接続され使用者１１の左右の頬１１ｄに沿って下方に延びる一対の脚部１３ｂ，１３ｃとを有する（図１、図３及び図９）。また、フレーム１３の前縁下部から側縁下部にかけて前方及び前側方に突出する鍔部１３ｄが形成される（図１、図２及び図８）。具体的には、鍔部１３ｄは、鼻背係止部１３ａの下縁に沿って前方及び前側方に突出するように平面視でアングル状に形成される。更に、フレーム１３の上部両側縁には、一対のフック１６，１７が斜め前方に向ってそれぞれ突設される（図２〜図５、図８及び図９）。これらのフック１６，１７は、フレーム１３と一体的に形成され上記通孔１２ｃ，１２ｄの孔径より僅かに小さい直径を有する円柱部１６ａ，１７ａと、これらの円柱部１６ａ，１７ａとそれぞれ一体的に形成された楕円柱部１６ｂ，１７ｂとからなる（図４及び図５）。楕円柱部１６ｂ，１７ｂの短径は円柱部１６ａ，１７ａの直径と同一であり、楕円柱部１６ｂ，１７ｂの長径は円柱部１６ａ，１７ａの直径より大きく形成される。そして、楕円柱部１６ｂ，１７ｂはその中心線が円柱部１６ａ，１７ａの中心線から外側に偏倚して形成される。また、上記フレーム１３は、ポリプロピレンやポリエチレン等の柔軟性を有するプラスチックの射出成形等により形成されることが好ましく、特に鼻背係止部１３ａ及び一対の脚部１３ｂ，１３ｃは、顔１１の鼻背１１ｂ及び頬１１ｄに密着し易くするために厚さ１ｍｍ〜２ｍｍ程度に形成されることが好ましい。ここで、図９中の符号２１ａ，２１ｂは、フレーム１３の上部両端にそれぞれ形成された一対の第１透孔であり、符号２２ａ，２２ｂは、フレーム１３の下部両端にそれぞれ形成された一対の第２透孔である。
【００１８】
一方、一対の線状体１４，１５は、ゴム紐又は紐により形成されることが好ましい（図１〜図３）。一対の線状体１４，１５のうち一方の線状体１４の一端は一対の第１透孔２１ａ，２１ｂのうち一方の第１透孔２１ａに挿通された後に抜止め用の結び目１４ａが形成され、一方の線状体１４の他端は一対の第２透孔２２ａ，２２ｂのうち一方の第２透孔２２ａに挿通された後に抜止め用の結び目１４ｂが形成される（図１〜図３及び図９）。また、一対の線状体１４，１５のうち他方の線状体１５の一端は一対の第１透孔２１ａ，２１ｂのうち他方の第１透孔２１ｂに挿通された後に抜止め用の結び目１５ａが形成され、他方の線状体１５の他端は一対の第２透孔２２ａ，２２ｂのうち他方の第２透孔２２ｂに挿通された後に抜止め用の結び目１５ｂが形成される（図２、図３、図５及び図９）。
【００１９】
一方、シールド本体１２をフレーム１３に取付けるには、一対の通孔１２ｃ，１２ｄのうち一方の通孔１２ｃを一対のフック１６，１７のうち一方のフック１６に係止し、他方の通孔１２ｄを他方のフック１７に係止する（図４及び図５）。これにより、シールド本体１２を一対のフック１６，１７を中心に下方に回転させたとき、庇部１２ｅが鍔部１３ｄに載って、シールド本体１２により使用者１１の口１１ａと外鼻孔が覆われる被覆位置と、シールド本体１２を一対のフック１６，１７を中心に上方に回転させたとき、使用者１１の口１１ａと外鼻孔が開放される開放位置とに切換え可能に構成される。なお、シールド本体１２の通孔１２ｃ，１２ｄの孔径が、フレーム１３のフック１６，１７の円柱部１６ａ，１７ａの直径より僅かに小さく形成されているので、シールド本体１２を一対のフック１６，１７を中心に回動させるとき摺動抵抗が発生し、シールド本体１２を開放位置に切換えたときに、シールド本体１２がこの開放位置で一時的に固定されるようになっている。また、楕円柱部１６ｂ，１７ｂの長径は通孔１２ｃ，１２ｄの孔径より大きいため、通孔１２ｃ，１２ｄを楕円柱部１６ｂ，１７ｂに嵌入するとき、通孔１２ｃ，１２ｄを弾性変形させる必要がある。
【００２０】
このように構成されたマスク型シールド１０を使用するには、フレーム１３の一対のフック１６，１７にシールド本体１２の一対の通孔１２ｃ，１２ｄをそれぞれ形成した状態で、一対の線状体１４，１５を耳１１ｂに掛けるだけで使用できる。そして、シールド本体１２を一対のフック１６，１７を中心に下方に回転させたとき、シールド本体１２の庇部１２ｅがフレーム１３の鍔部１３ｄに載って、シールド本体１２が使用者１１の口１１ａと外鼻孔を覆う被覆位置に位置する（図１（ａ）及び図１０（ａ））。これにより、使用者１１の口１１ａ及び外鼻孔がシールド本体１２で被覆されるので、感染者の咳やくしゃみ等により空気中に浮遊するウィルスを含む飛沫が、上記マスク型シールド１０の使用者１１の口１１ａや鼻に侵入するのを防止できる。なお、上記ウィルスを含む飛沫が、シールド本体１２の上方からシールド本体１２及びフレーム１３間に侵入しようとしても、その侵入は庇部１２ｅ及び鍔部１３ｄにより阻止される。また、シールド本体１２を一対のフック１６，１７を中心に上方に回転させたとき、シールド本体１２が使用者１１の口１１ａと外鼻孔を開放する開放位置に位置するので（図１（ｂ）及び図１０（ｂ））、使用者１１はマスク型シールド１０を取外さずにペットボトル１８の飲料水を飲むことができる（図１０（ｂ））。このとき、シールド本体１２の通孔１２ｃ，１２ｄとフレーム１３のフック１６，１７の円柱部１６ａ，１７ａとの間の摺動抵抗により、シールド本体１２を開放位置に一時的に固定される。更に、飲食が終了したときに、シールド本体１２を一対のフック１６，１７を中心に下方に回転させることにより、シールド本体１２を上記被覆位置に切換えることができる。このように、シールド本体１２を被覆位置と開放位置とに速やかに切換えることができる。
【００２１】
＜第２の実施の形態＞
図１１は本考案の第２の実施の形態を示す。なお、図１１において図２と同一符号は同一部品を示す。この実施の形態では、シールド本体４２にポケット４２ａが設けられる。このポケット４２ａは、シールド本体４２のうち一対の突片１２ａ，１２ｂ及び庇部１２ｅとなる部分を除いた部分と同形同大であって、第１の実施の形態のシールド本体と同じ材料で形成された透明なプラスチックフィルム４２ｂをそれらの上縁以外の周縁を互いに溶着することにより形成される。このポケット４２ａには、アヒル口のイラスト４３ａが印刷されたシート４３を挿入可能に構成される。このシート４３は、シールド本体４２のうち庇部１２ｅとなる部分を除いた部分と同形であって僅かに小さく形成される。また、シート４３としては、紙やプラスチックフィルム等が挙げられる。上記以外は第１の実施の形態と同一に構成される。
【００２２】
このように構成されたマスク型シールド４０では、展開状態のシールド本体４２のポケット４２ａに、イラスト４３ａを印刷したシート４３を挿入することにより、マスク型シールド４０の見栄えを向上できる。上記以外のマスク型シールドの使用方法や動作等は、第１の実施の形態のマスク型シールドの使用方法や動作等と略同様であるので、繰返しの説明を省略する。
【００２３】
なお、上記第１の実施の形態では、一対の線状体を使用者の耳に掛けたが、 一対の線状体を使用者の頭に掛けてもよい。また、上記第１の実施の形態では、シールド本体を透明なプラスチックフィルムにより形成したが、シールド本体を不透明なプラスチックフィルムにより形成してもよい。更に、上記第２の実施の形態では、シールド本体のポケットに挿入するシートに、アヒル口のイラストを印刷したが、このシートに、ロボットの口元のイラストや女性の口元の画像を印刷してもよい。
【符号の説明】
【００２４】
１０，４０  マスク型シールド
１１  使用者
１１ａ  使用者の口
１１ｂ  使用者の耳
１１ｃ  使用者の鼻背
１１ｄ  使用者の頬
１２，４２  シート本体
１２ｃ，１２ｄ  通孔
１２ｅ  庇部
１３  フレーム
１３ａ  鼻背係止部
１３ｂ，１３ｃ  脚部
１３ｄ  鍔部
１４，１５  線状体
１６，１７  フック
４２ａ  ポケット
４３  シート
４３ａ  イラスト
【図１】
0003228348.tif 000003
【図２】
0003228348.tif 000004
【図３】
0003228348.tif 000005
【図４】
0003228348.tif 000006
【図５】
0003228348.tif 000007
【図６】
0003228348.tif 000008
【図７】
0003228348.tif 000009
【図８】
0003228348.tif 000010
【図９】
0003228348.tif 000011
【図１０】
0003228348.tif 000012
【図１１】
0003228348.tif 000013